(57)【特許請求の範囲】
【請求項１】
目地部を介して設けられた建物とよう壁等の高さの異なる左右の躯体間の上部目地部を覆う一方の躯体に、ヒンジ部材を介して遊端部が上下方向に回動可能に取付けられた目地蓋と、この目地蓋の下部位置の一方の目地部側の躯体に、目地部が狭くなると他方の目地部側の躯体の押し圧力によって水平方向に回動するように取付けられたブラケットと、このブラケットの先端部あるいは先端部寄りの部位に一端部が枢支され、他端部が他方の目地部側の躯体に枢支され、該ブラケットが回動すると中央部が上方に突出して、前記目地蓋を上方へ回動させる押し上げリンクとからなることを特徴とする目地蓋装置。
【請求項２】
目地部を介して設けられた建物とよう壁等の高さの異なる左右の躯体間の上部目地部を覆う一方の躯体に、ヒンジ部材を介して遊端部が上下方向に回動可能に取付けられた、先端部が前方へスライド移動するスライド目地蓋を備える目地蓋と、この目地蓋の下部位置の一方の目地部側の躯体に、目地部が狭くなると他方の目地部側の躯体の押し圧力によって水平方向に回動するように傾斜状態で取付けられた少なくとも２個以上のブラケットと、この少なくとも２個以上のブラケットの先端部あるいは先端部寄りの部位に一端部がそれぞれ枢支され、他端部が他方の目地部側の躯体に枢支され、該ブラケットが回動すると中央部が上方へ突出して、前記目地蓋を上方へ回動させる少なくとも２個以上の押し上げリンクとからなることを特徴とする目地蓋装置。
【発明の詳細な説明】
【０００１】
【発明の属する技術分野】
本発明は目地部を介して設けられた建物とよう壁等の高さの異なる左右の躯体の間の上部目地部を覆う目地蓋装置に関する。
【０００２】
【従来の技術】
従来の目地蓋装置は先端部が低い方の躯体の上部に目地蓋が位置するように、高い方の躯体の壁面に固定的に取付けている。
【０００３】
【発明が解決しようとする課題】
従来の目地蓋装置は地震等によって目地部が狭くなった場合には、低い方の躯体へ目地蓋の先端部が突出して危険であるという欠点があった。
【０００４】
本発明は以上のような従来の欠点に鑑み、目地部が狭くなっても、目地蓋の先端部が左右の躯体方向へ突出することなく、安全に使用することができるとともに、目地部が広くなっても損傷することがなく、左右の躯体の揺れ動きが停止すると自動的に元の状態に戻すことができる、構造が簡単で、容易に設置することができる目地蓋装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた建物とよう壁等の高さの異なる左右の躯体間の上部目地部を覆う一方の躯体に、ヒンジ部材を介して遊端部が上下方向に回動可能に取付けられた目地蓋と、この目地蓋の下部位置の一方の目地部側の躯体に目地部が狭くなると他方の目地部側の躯体の押し圧力によって水平方向に回動するように取付けられたブラケットと、このブラケットの先端部あるいは先端部寄りの部位に一端部が枢支され、他端部が他方の目地部側の躯体に枢支され、該ブラケットが回動すると中央部が上方に突出して、前記目地蓋を上方へ回動させる押し上げリンクとで目地蓋装置を構成している。
【０００７】
【発明の実施の形態】
以下、図面に示す実施の形態により、本発明を詳細に説明する。
【０００８】
図１ないし図８に示す本発明の第１の実施の形態において、１は目地部２を介して設けられた建物３とよう壁４等の高さの異なる左右の躯体３ａ、４ａ間の上部目地部２を覆う本発明の目地蓋装置で、この目地蓋装置１は前記よう壁４の上部に先端部に位置するように前記建物３の外壁面３ｂにほぼ水平状態よりも下方に先端部がさがらないヒンジ部材５を介して、先端部が上方へ回動可能に取付けられた目地蓋６と、この目地蓋６の下部位置の前記建物３の外壁面３ｂに、目地部２が狭くなると前記よう壁４の押し圧力によって水平方向に回動するように、鈍角の回動範囲のヒンジ部材７を介して傾斜状態で取付けられたブラケット８と、このブラケット８の先端部あるいは先端部寄りの部位に一端部が枢支ピン９で枢支され、他端部が前記建物３の外壁面３ｂに枢支ピン１０で枢支され、該ブラケット８が回動すると枢支ピン１１で枢支された中央部が上方へ突出して、前記目地蓋６を上方へ回動させる押し上げリンク１２とで構成されている。
【０００９】
前記ブラケット８は図４に示すように、上部がほぼ水平で先端部側の下部が順次小幅寸法となる台形状のブラケット本体１３と、このブラケット本体１３の先端部に形成した、前記よう壁４の外壁面４ｂをスムーズにスライド移動する円弧状の当接片１４と、前記ブラケット本体１３の後端部に取付けられたヒンジ部材７と、前記ブラケット本体１３の先端部寄りの部位の上部に枢支ピン１５で回動可能に取付けられた押し上げリンク取付け金具１６とで構成されている。
【００１０】
前記押し上げリンク１２は図５に示すように、中央部に枢支ピン１１が取付けられた押し上げリンク本体１７と、この押し上げリンク本体１７の一端部に形成された、前記押し上げリンク取付け金具１６に枢支ピン９で取付けられる枢支ピン挿入孔１８と、前記押し上げリンク本体１７の他端部に枢支ピン１０で枢支された複数本のビス１９等によって壁面３ｂに取付ける取付け金具２０とで構成されている。
【００１１】
上記構成の目地蓋装置１は地震等によって左右の躯体３ａ、４ａ間の目地部２が狭くなるように揺れ動いた場合、図６および図７に示すようにブラケット８の先端部がよう壁４の外壁面４ｂによって押し圧され、水平方向に回動する。
このブラケット８の水平方向の回動によって、押し上げリンク１２の中央部は上方へ突出し、目地蓋６を上方へ押し上げるため、ヒンジ部材５を支点に先端部が上方へ回動して、その揺れ動きを吸収する。
揺れ動きが停止した場合、目地蓋６の自重によって、押し上げリンク１２およびブラケット８は元の位置に自動的に戻る。
【００１２】
目地部が広くなるように揺れ動いた場合には、図８に示すように目地蓋６がブラケット８および押し上げリンク１２に支持された状態で、目地蓋６の先端部がよう壁４より離れ、その揺れ動きを吸収する。
揺れ動きが停止した場合には自動的に元の状態に戻る。
なお、目地蓋６のヒンジ部材５は目地蓋６をほぼ水平状態に保つ構造のものであってもよく、それ以外の構造の場合には押し上げリンク１２によって目地蓋６をほぼ水平状態に保つように支持するように設定しておく。
【００１３】
【発明の異なる実施の形態】
次に、図９ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図９ないし図１１に示す本発明の第２の実施の形態において、前記本発明の第１の実施の形態と主に異なる点は、先端部にローラー２１が取付けられた少なくとも２個以上のブラケット８Ａ、８Ａと、この少なくとも２個以上のブラケット８Ａ、８Ａに一端部が枢支された押し上げリンク１２、１２を用いた点で、このように構成した目地蓋装置１Ａにしても、前記本発明の第１の実施の形態と同様な作用効果が得られる。
【００１５】
図１２ないし図１４に示す本発明の第３の実施の形態において、前記本発明の第２の実施の形態と主に異なる点は、よう壁４の上部に逆Ｌ字状の係止片２２を取付けるとともに、ヒンジ部材５によって建物３の外壁面３ｂに取付けられる薄箱状の回動目地蓋２３と、この回動目地蓋２３の先端部よりＬ字状の先端部がスライド移動可能に前方へスライド移動する、前記係止片２２と係止するスライド目地蓋２４とからなる目地蓋６Ａと、ブラケット８の先端部に押し上げリンク１２の一端部を枢支させた点で、このように構成した目地蓋装置１Ｂにしても、前記本発明の第２の実施の形態と同様な作用効果が得られるとともに、目地部２が広くなっても、目地部２が開口するのをスライド目地蓋２４によって防止することができる。
なお、本発明の実施の形態において、係止片２２と目地蓋６Ａのスライド目地蓋２４の先端部が係止されるため、スライド目地蓋２４は目地部が広くなったり、狭くなっても回動目地蓋２３より自動的に出没させることができるが、必要に応じてスライド目地蓋２４を回動目地蓋２３内に収納するように常時付勢力が作用するようにスプリングを取付けてもよい。
【００１６】
図１５ないし図１７に示す本発明の第４の実施の形態において、前記本発明の第２の実施の形態と主に異なる点は、先端部にゴムや合成樹脂シート等の弾性シート材２５が取付けられた目地蓋６Ｂをよう壁４の上部にヒンジ部材５を用いて取付けるとともに、ブラケット８および押し上げリンク１２をよう壁４の外壁面４ｂに取付けた点で、このように構成した目地蓋装置１Ｃにしても、前記本発明の第２の実施の形態と同様な作用効果が得られる。
【００１７】
なお、本発明は目地蓋６、６Ａ、６Ｂおよびブラケット８、８Ａをストッパーによって所定位置で停止するように設定することにより、ヒンジ部材５、７として普通に使用されているものを用いても同様な作用効果が得られる。
【００１８】
【発明の効果】
以上の説明から明らかなように、本発明にあっては次に列挙する効果が得られる。
【００１９】
（１）目地部を介して設けられた建物とよう壁等の高さの異なる左右の躯体間の上部目地部を覆う一方の躯体に、ヒンジ部材を介して遊端部が上下方向に回動可能に取付けられた目地蓋と、この目地蓋の下部位置の一方の目地部側の躯体に、目地部が狭くなると他方の目地部側の躯体の押し圧力によって水平方向に回動するように取付けられたブラケットと、このブラケットの先端部あるいは先端部寄りの部位に一端部が枢支され、他端部が他方の目地部側の躯体に枢支され、該ブラケットが回動すると中央部が上方に突出して、前記目地蓋を上方へ回動させる押し上げリンクとで構成されているので、地震等によって目地部が狭くなると、目地蓋をブラケットの回動によって押し上げリンクの中央部を押し上げ、上方へ回動させてその揺れ動きを吸収することができる。
したがって、従来のように目地蓋の先端部が一方の躯体側へ突出して危険になったりするのを確実に防止することができる。
【００２０】
（２）前記（１）によって、目地部が狭くなった場合にはブラケットを回動させるとともに、押し上げリンクの中央部が上方へ突出するように折り曲げるので、目地部を大きく塞ぐことがなく、目地部の寸法に近い所までの揺れ動きの吸収を行なうことができる。
したがって、大きな揺れ動きの吸収を図ることができる。
【００２１】
（３）前記（１）によって、目地部が広くなった場合には目地部の先端部が他方の躯体から離れるように移動して、その揺れ動きを吸収することができる。
【００２２】
（４）請求項２も前記（１）〜（３）と同様な効果が得られる。
【図面の簡単な説明】
【図１】本発明の第１の実施の形態の平面図。
【図２】本発明の第１の実施の形態の正面図。
【図３】図１の３−３線に沿う拡大断面図。
【図４】本発明の第１の実施の形態のブラケットの説明図。
【図５】本発明の第１の実施の形態の押し上げリンクの説明図。
【図６】本発明の第１の実施の形態の目地部が狭くなった場合の平面図。
【図７】図６の７−７線に沿う拡大断面図。
【図８】本発明の第１の実施の形態の目地部が広くなった動作説明図。
【図９】本発明の第２の実施の形態の平面図。
【図１０】図９の１０−１０線に沿う拡大断面図。
【図１１】本発明の第２の実施の形態のブラケットの説明図。
【図１２】本発明の第３の実施の形態の平面図。
【図１３】図１２の１３−１３線に沿う拡大断面図。
【図１４】本発明の第３の実施の形態の目地蓋の説明図。
【図１５】本発明の第４の実施の形態の平面図。
【図１６】図１５の１６−１６線に沿う拡大断面図。
【図１７】本発明の第４の実施の形態の目地蓋の説明図。
【符号の説明】
１、１Ａ、１Ｂ、１Ｃ：目地蓋装置、
２：目地部、            ３：建物、
３ａ：躯体、            ３ｂ：外壁面、
４：よう壁、            ４ａ：躯体、
５：ヒンジ部材、        ６、６Ａ、６Ｂ：目地蓋、
７：ヒンジ部材、        ８、８Ａ：ブラケット、
９：枢支ピン、          １０：枢支ピン、
１１：枢支ピン、        １２：押し上げリンク、
１３：ブラケット本体、  １４：当接片、
１５：枢支ピン、
１６：押し上げリンク取付け金具、
１７：押し上げリンク本体、
１８：枢支ピン挿入孔、  １９：ビス、
２０：取付け金具、      ２１：ローラー、
２２：係止片、          ２３：回動目地蓋、
２４：スライド目地蓋、  ２５：弾性シート材。
【図１】
0003676704.tif 000002
【図２】
0003676704.tif 000003
【図３】
0003676704.tif 000004
【図４】
0003676704.tif 000005
【図５】
0003676704.tif 000006
【図６】
0003676704.tif 000007
【図７】
0003676704.tif 000008
【図８】
0003676704.tif 000009
【図９】
0003676704.tif 000010
【図１０】
0003676704.tif 000011
【図１１】
0003676704.tif 000012
【図１２】
0003676704.tif 000013
【図１３】
0003676704.tif 000014
【図１４】
0003676704.tif 000015
【図１５】
0003676704.tif 000016
【図１６】
0003676704.tif 000017
【図１７】
0003676704.tif 000018